(57)【要約】【課題】  手の不自由な被介護者が一人で自分の体に装着脱できる涎掛けを提供する。【解決手段】  涎掛け１は、被装着者の胸部を覆う略長方形状の布２と、この布２の上部に移動可能に取り付けられるゴム紐からなる紐３と、この紐３に取り付けられ、当該紐３の長さを調節するための紐ストッパ４とを備えている。布２の上辺は被装着者の略首回りの長さ（約３８ｃｍ）を有する直線状をなし、紐３の先端部の、当該紐３の輪の最大サイズが被装着者の首回りの略２．５〜３倍となる位置に、紐ストッパ４の相対移動を規制する規制部３１が形成されている。また、紐３の先端に直径１５ｍｍ〜３０ｍｍの球状の紐保持部材５が設けられ、この紐保持部材５と規制部３１との間に約８ｃｍの隙間部分が形成されている。【選択図】      図１
2005060902.tif 000002
【特許請求の範囲】
【請求項１】
少なくとも被装着者の胸部を覆い、当該被装着者の衣服の汚れを防止するための布部材と、
上記布部材の上部に取り付けられ、上記被装着者の首に巻き付けて上記布部材を固定するための紐部材と、
上記紐部材の両端を貫通させて当該紐部材に取り付けられ、ロック解除ボタンを押すと、当該紐部材に対して相対移動が可能になり、ロック解除ボタンを離すと、当該紐部材に対して相対移動が不能になる紐ストッパ部材と、を備えた涎掛けであって、
上記布部材の上記紐部材が取り付けられる部分は上記被装着者の略首回りの長さを有する直線状をなし、上記紐部材の先端部の、当該紐部材の輪の最大サイズが上記被装着者の首回りの略２．５〜３倍となる位置に、上記紐ストッパ部材の相対移動を規制する規制部が形成されている
ことを特徴とする涎掛け。
【請求項２】
上記布部材の上部の直線状部分は、３５ｃｍ〜４５ｃｍであることを特徴とする請求項１記載の涎掛け。
【請求項３】
請求項１又は２に記載の涎掛けにおいて、
上記布部材の上部の直線状部分に、上記紐部材を保持して上記布部材を吊るした際、当該直線状部分をＶ字状の屈曲状態に保持させる可撓性部材が更に設けられていることを特徴とする涎掛け。
【請求項４】
請求項１〜３のいずれかに記載の涎掛けにおいて、
上記紐部材の両先端に当該両先端を結合する球状若しくは半球状の紐保持部材が更に設けられていることを特徴とする涎掛け。
【請求項５】
上記紐部材の規制部と上記紐保持部材との間は少なくとも３本の指が嵌入し得る輪が形成可能な距離に設定されていることを特徴とする請求項４記載の涎掛け。
【請求項６】
上記紐部材は、ゴム紐であることを特徴とする請求項１〜５のいずれかに記載の涎掛け。
【発明の詳細な説明】
【技術分野】
【０００１】
本発明は、口からこぼれる涎や食べこぼしなどで衣服が汚れるのを防止するため、顎の下に掛けられる涎掛けに関するものである。
【背景技術】
【０００２】
涎掛けは、涎で衣服が汚れるのを防止するために幼児の顎の下に掛けられ布で、一般に矩形状の布と、上端部に当該布を幼児の首に固定するための紐やマジックテープなどの固定部材とで構成されている。
【０００３】
図９〜図１１は、従来の涎掛けの構成を示す正面である。
【０００４】
図９に示す涎掛け１００は、縦長長方形状の布１０１の上辺中央にＵ字状の切欠き部１０２を形成するとともに、この切欠き部１０２の両端に輪１０２Ａ，１０２Ｂを形成し、これらの輪１０１Ａ，１０１Ｂにゴム紐１０３を通した後、両端部に結び目若しくは飾りからなる抜け防止部材１０４が取り付けられている。また、布１０１の両側辺の略中央部に当該布１０１を幼児の胸部に固定するためのゴム紐１０５が取り付けられている。
【０００５】
涎掛け１００は、切欠き部１０２とゴム紐１０３とで涎掛け１００を幼児の首に固定する第１固定部が形成され、ゴム紐１０５により涎掛け１００を幼児の胸部に固定する第２固定部が形成されている。涎掛け１００は、ゴム紐１０５を伸ばして当該ゴム紐１０５と布１０１とで形成される輪に幼児の頭及び胸部を通した後、ゴム紐１０３を伸ばして切欠き部１０２とゴム紐１０３とで形成される輪を大きくし、この輪に幼児の頭を通すことにより、当該涎掛け１００が幼児の首に取り付けられる。
【０００６】
ゴム紐１０３の長さは、ゴム紐１０３の抜け防止部材１０４が輪１０２Ａ，１０２Ｂに当接する状態では切欠き部１０２とゴム紐１０３とで形成される輪の長さが幼児の首回りの長さよりも若干短くなるように設定されており、これにより涎掛け１００が幼児の首に取り付けられたときは、ゴム紐１００の収縮力で涎掛け１００が幼児の首に固定されるようになっている。
【０００７】
図１０に示す涎掛け２００は、縦長長方形状の布２０１の上辺中央にＵ字状の切欠き部２０２を形成するとともに、この切欠き部２０２の両端に延長して当該涎掛け２００を幼児の首に固定するための紐２０３Ａ，２０３Ｂを形成し、布２０１の両側辺の略中央部に当該布２０１を幼児の胸部に固定するためのゴム紐２０４を取り付けたものである。
【０００８】
涎掛け２００は、紐２０３Ａ，２０３Ｂにより涎掛け２００を幼児の首に固定する第１固定部が形成され、ゴム紐２０４により涎掛け２００を幼児の胸部に固定する第２固定部が形成されている。涎掛け２００は、ゴム紐２０４を伸ばして当該ゴム紐２０４と布２０１とで形成される輪に幼児の頭及び胸部を通した後、布２０１のＵ字状の切欠き部２０２を幼児の顎の下の首に当て、首の後ろで紐２０３Ａと紐２０３Ｂとを結ぶことにより、当該涎掛け２００が幼児の首に取り付けられる。
【０００９】
また、図１１に示す涎掛け２００’は、図１０に示す涎掛け２００の変形例で、紐２０３Ａ，２０３Ｂを布２０１の上辺を延長した適宜の長さを有する帯２０１Ａ，２０１Ｂとし、両帯２０１Ａ，２０１Ｂの先端部にマジックテープ２０５Ａ，２０５Ｂを形成したものである。この涎掛け２００’は、紐２０３Ａ，２０３Ｂに代えてマジックテープ２０５Ａ，２０５Ｂを利用することにより涎掛けを幼児の首に固定させる操作を簡単にするとともに、涎掛けのデザイン性の向上させたものである。
【００１０】
なお、上述した涎掛けは、幼児用のものであるが、身体の上半身に障害を有する人や高齢者の介護用品としても同様の構成の涎掛けが知られ、実用されている。
【特許文献１】実公昭５２−１１７０３０号公報
【特許文献２】実公昭６０−１６７０７号公報
【発明の開示】
【発明が解決しようとする課題】
【００１１】
従来の幼児用の涎掛けは、基本的に大人が幼児に涎掛けを付けることを前提としている、すなわち、被装着者とは別の人によって涎掛けが取り付けられることを前提としているため、涎掛けの固定部の構造については、被装着者が自分で涎掛けを取り付けることを考慮した工夫は何らなされていなかった。
【００１２】
また、近年、身障者や高齢者の介護のための介護用品の需要が高まる中、身障者用や高齢者用の涎掛けも知られるが、かかる涎掛けの構造は、基本的に幼児用の涎掛けを大人用に形状等を改良したものに過ぎず、涎掛けの固定部の構造についても介護者が被介護者に取り付けることを前提とし、被介護者自身が自分で涎掛けを取り付けることを配慮した工夫はなされていなかった。
【００１３】
本発明は、上記課題に鑑みてなされたものであって、介護を要する障害者や高齢者などが介護者の手を借りることなく、自分自身で簡単に自己の身体に取り付けることのできる涎掛けを提供するものである。
【課題を解決するための手段】
【００１４】
本発明は、少なくとも被装着者の胸部を覆い、当該被装着者の衣服の汚れを防止するための布部材と、上記布部材の上部に取り付けられ、上記被装着者の首に巻き付けて上記布部材を固定するための紐部材と、上記紐部材の両端を貫通させて当該紐部材に取り付けられ、ロック解除ボタンを押すと、当該紐部材に対して相対移動が可能になり、ロック解除ボタンを離すと、当該紐部材に対して相対移動が不能になる紐ストッパ部材と、を備えた涎掛けであって、上記布部材の上記紐部材が取り付けられる部分は上記被装着者の略首回りの長さを有する直線状をなし、上記紐部材の先端部の、当該紐部材の輪の最大サイズが上記被装着者の首回りの略２．５〜３倍となる位置に、上記紐ストッパ部材の相対移動を規制する規制部が形成されていることを特徴とする（請求項１）。
【００１５】
なお、上記布部材の上部の直線状部分は、３５ｃｍ〜４５ｃｍにするとよい（請求項２）。また、上記布部材の上部の直線状部分に、上記紐部材を保持して上記布部材を吊るした際、当該直線状部分をＶ字状の屈曲状態に保持させる可撓性部材を設けるとよい（請求項３）。更に、上記紐部材の両先端に当該両先端を結合する球状若しくは半球状の紐保持部材を設けるとよく（請求項４）、この場合、上記紐部材の規制部と上記紐保持部材との間は少なくとも３本の指が嵌入し得る輪が形成可能な距離に設定するとよい（請求項５）。また、紐部材は、ゴム紐にするとよい（請求項６）。
【００１６】
上記構成の涎掛けによれば、ロック解除ボタンを押した状態で紐ストッパ部材を保持すると、布部材の重みで当該布部材と紐部材とが落下し、紐ストッパ部材は紐部材に対して相対的に上に移動し、規制部の位置で停止する。このとき、紐部材は、紐ストッパ部材の真下に垂下しようとするため、布部材の上部の直線状部分（紐部材の布部材への取付部分。以下、紐取付部分という。）の両端に内側の力が作用し、これにより布部材がＶ字状に屈曲し、紐取付部分は布部材の可撓性に基づいて収縮する。また、紐の輪の最大サイズは、布部材の紐取付部分の長さ（涎掛けの被装着者の略首回り）の略２．５〜３．０倍となるから、紐ストッパ部材を保持して布部材を吊るした状態では、紐ストッパ部材から布部材までの紐部材の長さは、被装着者の首回りの略半分の略１．５〜２倍の長さとなっている。例えば被装着者の肩幅を凡そ４０ｃｍとすると、紐ストッパ部材から布部材までの紐部材の長さは凡そ３０〜４０ｃｍとなっている。
【００１７】
すなわち、ロック解除ボタンを押した状態で紐ストッパ部材を保持すると、当該保持位置から凡そ３０〜４０ｃｍ下がった位置に布部材がＶ状に屈曲し、かつ、その屈曲部を下方向に傾斜させた状態で吊り下げられる状態となる。
【００１８】
従って、被装着者は、片方の手で紐ストッパ部材を保持し、ロック解除ボタンを押せば、布部材が自重で下方に落下し、紐ストッパ部材から凡そ３０〜４０ｃｍ下がった位置に当該布部材がＶ状に屈曲し、かつ、その屈曲部を下方向に傾斜させて吊り下った状態となるから、布部材のＶ字状の屈曲部を自分の顎に引っ掛け、紐ストッパ部材を保持している手をそのまま頭の後ろに移動させると、当該頭が布部材の紐取付部分とこの部分から露出した紐部材とで形成される輪を自然に潜り抜け、被装着者はその輪を自分の首の部分に簡単に嵌めることができる。この後は、紐部材の先端を他方の手で固定し、ロック解除ボタンを押した状態で紐ストッパ部材を首に当接する位置まで移動させ、布部材が胸部を覆う位置まで当該布部材を回転させることにより、涎掛けが取り付けられる。
【００１９】
布部材の紐取付部分に可等性部材を設けたものでは、布部材が吊るされたとき、当該布部材が確実に適度にＶ字状に開いた状態に保持されるので、布部材の屈曲部を確実に顎に引っ掛けることができる。また、紐部材の先端に球状若しくは半球状の紐保持部材を設けておくと、例えば被装着者の他方の手の五指が不自由であっても親指と人差し指の間に紐部材の先端部を通し、球状若しくは半球状の紐保持部材を掌に納めるようにすれば、簡単に紐部材の先端部を固定することができ、首に紐部材を嵌めた後の紐ストッパ部材の移動を確実に行うことができる。
【００２０】
同様に、紐部材の規制部と紐保持部材との間を少なくとも３本の指が嵌入し得る輪が形成可能な距離に設定しておくと、例えば被装着者の他方の手の五指が不自由であっても人差し指から薬指までの３本の指の部分を紐部材の規制部と紐保持部材との間に形成される輪に嵌入させれば、簡単に紐部材の先端部を固定することができ、首に紐部材を嵌めた後の紐ストッパ部材の移動を確実に行うことができる。
【００２１】
また、紐部材をゴム紐で構成すれば、ゴム紐の伸縮性を利用して布部材の直線状部分（紐取付部分）とこの部分から露出した紐部材とで形成される輪に頭を潜らせることが容易になるとともに、首に固定したときに布部材が容易に回転移動することがなく、涎掛けの位置を安定させることができる。
【発明の効果】
【００２２】
請求項１又は２記載の発明によれば、片手で容易に涎掛けを自己の身体に装着することができる。従って、身障者や高齢者などの介護を要する人に対して好適な涎掛けを提供することができる。
【００２３】
請求項３記載の発明によれば、片手で涎掛けを自己の身体に装着する際、布部材の直線状部分（紐部材の布部材への取付部分）を確実に顎に引っ掛けて涎掛けの紐部材を首に巻き付けることができる。
【００２４】
また、請求項４又は５記載の発明によれば、涎掛けの紐部材を首に巻き付けた後、当該紐部材の先端部を他方の手で確実に固定することができ、紐ストッパ部材の移動を容易に行うことができる。
【００２５】
また、請求項６記載の発明によれば、より容易に片手で涎掛けを自己の身体に装着することができる。
【発明を実施するための最良の形態】
【００２６】
図１は、本発明に係る涎掛けの正面図である。
【００２７】
同図に示す涎掛け１は、主として身障者や高齢者などの介護を要する人（以下、被介護者という。）の使用に適したもので、特に被介護者（大人）が片手の不自由な場合であっても一人で涎掛け１を取り付けることができるように工夫されたものである。
【００２８】
涎掛け１は、被介護者の胸部を覆い、食事をする際などに衣服が汚れるのを防止する縦長長方形状の布２と、この布２の上辺に取り付けられる紐３と、この紐３の中間部に当該紐３に沿って移動可能に取り付けられた紐ストッパ４と、この紐３の先端に取り付けられた球状の紐保持部材５とで構成されている。
【００２９】
布２には伸縮性を有し、吸水性の良好なタオル地等の生地が用いられている。布２は、凡そ３８ｃｍ（幅）×４５（長さ）の長方形状をなし、下辺の両隅は丸みを帯びるように面取りがなされている。布２の上辺は所定の寸法だけ裏側に折返して先端を縫合することにより筒状の紐通し穴２１（直線状部分に相当）が形成され、この紐通し穴２１に紐３を通すことにより当該紐３が布２の上辺に沿って移動可能に取り付けられている。なお、本実施形態では被介護者用ということから、可及的単純な形状及び構造が好ましいため、布２は長方形状の１枚布としているが、布２の形状は上辺に直線状の紐通し穴２１が形成されたものであれば、長方形状から多少変形したものであってよい。また、紐３を布２に取り付ける部材も紐通し穴２１に代えて、布２の上端部の裏面に幅方向に所定の間隔で複数の紐通し帯を縫い付けたものであってもよい。
【００３０】
布２の上辺の長さを凡そ３８ｃｍとしているのは、紐３によって涎掛け１が被介護者（大人）の首に取り付けられたとき、布２の上辺が被介護者の首の回りに巻き付けられるように、布２の上辺の長さを被介護者の首回りの寸法程度に合わせたものである。日本人の大人の標準的な首回りの寸法範囲が凡そ３５ｃｍ〜４５ｃｍであることを考慮すると、布２の上辺の幅寸法は凡そ３５ｃｍ〜４５ｃｍに設定される。また、布２の縦方向の長さを約４５ｃｍにしているのは、涎掛け１が被介護者の首に取り付けられたときに布２が被介護者の胸から胴の部分を覆い得る寸法としたものである。本実施形態では、大人の胸から胴の部分が首回りに対して約１．２倍の長さを有していると仮定して、布２の縦方向の長さを幅方向の長さ３８ｃｍの約１．２倍の長さ４５ｃｍにしている。なお、被介護者が子供や大人の標準的なサイズを有していない場合は、当該被介護者の体のサイズに応じて布２のサイズを適宜設定すればよいことは言うまでもない。
【００３１】
紐３はゴム紐からなり、両先端は紐保持部材５に固定されている。なお、紐３は伸縮性の少ない通常の紐部材であってもよい。紐３の長さは、約１１２ｃｍで、図２に示すように、この紐３の両端を合わせて２つに折り返したとき、その折返点Ｐから約４８ｃｍの位置に紐ストッパ４の移動を規制する規制部３１が形成されている。従って、規制部３１から先端の紐保持部材５までの間に約８ｃｍの隙間部分Ｒが生じている。規制部３１は紐３の両端部を互に縫い合わせて紐ストッパ４が当該規制部３１から紐３の先端側に移動できないようにしたものである。なお、規制部３１は紐ストッパ４の移動を規制できるものであれば、縫合以外の構成であってもよい。例えば紐３の両端部に結び目を形成して規制部３１としてもよい。紐３の折返点Ｐから約４８ｃｍの位置に紐ストッパ４の移動を規制する規制部３１を形成する意義と規制部３１から紐保持部材５の間に約８ｃｍの隙間部分Ｒを設ける意義については後述する。
【００３２】
紐ストッパ４は、紐３の両端部を結合することによって輪を形成するとともに、その輪の大きさを調節する機能を果たす部材である。紐ストッパ４は、図３に示すように、本体４１、ロック解除ボタン４２及びこのロック解除ボタン４２をロック位置に付勢する付勢部材４３とからなる。本体４１は上面に開口部を有する円筒体を成し、側面の上部に紐３を貫通装着させるための一対の孔４１ａ，４１ｂが形成され、これらの孔４１ａ，４１ｂの下方位置にロック解除ボタン４２の抜けを防止するための一対の孔４１ｃ，４１ｄが形成されている。また、本体４１の内側面の適所には一対のガイドピン４１１ａ，４１１ｂが形成されている。
【００３３】
一方、ロック解除ボタン４２は、本体４１に嵌入装着可能な円筒体からなり、円筒体の上面に指で押圧操作するための頭部４２１が形成されている。円筒体の側面適所にガイドピン４１１ａ，４１１ｂが嵌入される凹溝４２２ａ，４２２ｂ（４２２ｂは見えていない）が形成されるとともに、当該凹部４２２ａ，４２２ｂにガイドピン４１１ａ，４１１ｂをそれぞれ嵌入させて円筒体を本体４１内に装着した際、孔４１１ａ，４１１ｂに臨む側面位置に一対の貫通孔４２ａ，４２ｂ（４２ｂは見えていない）が形成され、更に貫通孔４２ａ，４２ｂの下方位置に本体４１の抜け防止用孔４１ｃ，４１ｄに係合可能な一対の爪４２ｃ，４２ｄ（４２ｄは見えていない）が形成されている。
【００３４】
付勢部材４３は、スプリングバネからなり、ロック解除ボタン４２を本体４１内に装着した際、当該ロック解除ボタン４２の下面と本体４１の底面との間に設けられている。このスプリングバネ４３の伸張力によりロック解除ボタン４２は常に本体４１に対して上方（開口部側）に移動するように付勢されるが、本体４１に対して上方に移動すると、一対の爪４２ｃ，４２ｄがそれぞれ本体４１の抜け防止用孔４１ｃ，４１ｄに係合するため、ロック解除ボタン４２が本体４１から抜け落ちることはない。ロック解除ボタン４２が抜け防止位置にある状態では、貫通孔４２ａ，４２ｂの中心は本体４１の孔４１ａ，４１ｂの中心とずれた状態（紐３をロックする状態）となっている。
【００３５】
紐ストッパ４は、ロック解除ボタン４２を本体４１に押し込み、貫通孔４２ａ，４２ｂの中心と本体４１の孔４１ａ，４１ｂの中心とを合わせた状態で紐３の両端を孔４１ａ，４２ａ，４１ｂ，４２ｂにより形成される貫通孔に通すことにより当該紐３に取り付けられる。紐３を紐ストッパ４に通した後、ロック解除ボタン４２の押込操作を解除すると、スプリングバネ４３によりロック解除ボタン４２は本体４１に対して上方に移動する力を受けるため、貫通孔４２ａ，４２ｂの中心が本体４１の孔４１ａ，４１ｂの中心からずれ、これにより紐３がロック解除ボタン４２により引き締められて紐ストッパ４は紐３に対して移動不能となる（以下、この位置をロック位置という。）。すなわち、紐３の両端部が紐ストッパ４により結合される。
【００３６】
一方、ロック解除ボタン４２を本体４２に対して押し下げ、貫通孔４２ａ，４２ｂの中心と本体４１の孔４１ａ，４１ｂの中心とを略一致させた状態にすると（以下、この位置をロック解除位置という。）、紐３のロック状態が解除され、紐ストッパ４は紐３に対して移動可能となる。従って、ロック解除ボタン４２をロック解除位置に設定した状態で、紐ストッパ４を紐３に沿って移動させることにより紐３の輪の長さが調節される。
【００３７】
涎掛け１を被介護者の首に取り付けたり、首から外したりする場合は、通常、紐３の輪を最大サイズにした状態で当該輪に首を通したり、当該輪から首を抜いたりする動作が行われる。従って、この場合は、紐３の輪のサイズを調節する必要はない。そこで、本実施形態では、被介護者自身が片手で自分の首に涎掛け１を取り付けたり、首から涎掛け１を取り外したりするときに紐３の輪の最大サイズが適切な大きさとなるように紐３に規制部３１を設けている。すなわち、紐３の輪の最大サイズが紐３の輪に頭部を通したり、紐３の輪から頭部を抜いたりするのに適した大きさとなるように紐３に規制部３１を設けている。
【００３８】
この規制部３１の存在により、被介護者が涎掛け１を自分の首に取り付けるときは、紐ストッパ４を持ち、ロック解除ボタン４２を押し込んだ状態で布２を上下に振れば、布２が下方に移動するのに伴って紐３も紐ストッパ４に対して相対的に下方に移動し、簡単に紐ストッパ４を紐３の規制部３１の位置に移動させることきができる。すなわち、紐３の輪の大きさを、自分の頭部を通すのに適切な大きさに設定することができる。また、涎掛け１を自分の首から取り外すときは、ロック解除ボタン４２を押し込んだ状態で紐ストッパ４を略水平方向に移動させると、紐３は首に固定されているため、当該紐３に対して紐ストッパ４を簡単に先端側の規制部３１の位置まで移動させることができ、紐３の輪の大きさを、自分の頭部を抜くのに適切な大きさに設定することができる。
【００３９】
ここで、涎掛け１を被介護者自身が自己の首に取り付けたり、首から取り外したりするときの紐３の輪の適切な大きさについて説明する。
【００４０】
本実施形態に係る涎掛け１は、図４に示すように、片手で紐ストッパ４を保持した際、布２が紐３によって吊り下げられると、紐通し穴２１の両端が紐３によって紐ストップ４の真下の位置に来るように引っ張られ、これにより布２が自然にＶ字状に屈曲するとともに、その屈曲部Ｑが前方下方に少し傾斜した状態になる性質を利用し、紐通し穴２１の屈曲部Ｑを自己の顎に引っ掛け、この状態で紐ストッパ４を保持している手を頭の上方を後方に移動させることにより自己の頭部を簡単に紐３の輪に通して首に取り付けられるようになっている。なお、逆に紐３の輪を最大サイズにした状態で紐ストッパ４を保持している手を首の後方から上方に移動させた後、頭の上部後方から前方に移動させることにより、首に取り付けられた涎掛け１を取り外すことができる。
【００４１】
この涎掛け１の取付け方法から明らかなように、涎掛け１を自己の首に片手で簡単に取付けられるようにするには、紐通し穴２１の屈曲部Ｑを自己の顎に引っ掛けた後、紐ストッパ４を保持している手を頭の上方を後方に移動させた際、紐通し穴２１の両端部分やこの部分から露出して垂直上方に伸びる紐３の部分が顔の両側を滑り、両耳の部分を可及的滑らかに乗り越えることが必要である。紐３の輪に頭部を通すときは、紐通し穴２１の両端から露出した紐３には内側に閉じようとする力が作用しているから、紐通し穴２１の両端部分が顔に接触するときはできるだけ顔の両端に近い部分に接触することが好ましい。すなわち、図５に示すように、Ｖ字状に屈曲した紐通し穴２１の全体が顔に当たるとき、紐通し穴２１の両端ａ，ａはできるだけ顔の両耳に近い部分に当たるようにし、紐通し穴２１の両端から露出する紐３の顔に接触する部分の長さもできる限り短くすることが好ましい。
【００４２】
Ｖ字状に屈曲した紐通し穴２１の両端を顔の両耳に近い部分に当たるようにするには、紐通し穴２１の両端の距離が、例えば人の顔の両眦の間の距離以下とならないように、紐通し穴２１に適度の剛性を持たせればよい。これには、例えば布２の紐通し穴２１の部分の布地の厚みを適当に厚くする、紐通し穴２１の屈曲部Ｑが形成される部分に樹脂などからなる弾性部材を挿入するなどして可及的に紐通し穴２１の両端が開くようにすればよい。一方、紐通し穴２１の両端から露出する紐３の顔に接触する部分の長さを短くするには、紐通し穴２１の両端から紐ストッパ４までの距離を長くし、紐ストッパ４を保持して布２を吊り下げたとき、紐通し穴２１の両端から上方に伸びる紐３の部分ができるだけ垂直に近くするようにすればよい。しかし、この場合は、被介護者が自分の手で紐ストッパ４を保持した状態で紐通し穴２１の屈曲部Ｑを自分の顎に引っ掛ける動作をすることから、紐通し穴２１の両端から紐ストッパ４までの距離はこの動作が可能な範囲に限定されることになる。
【００４３】
以上から、総合すると、紐３の輪の最大サイズは、紐ストッパ４を保持して布２を吊り下げたときの紐３の輪の部分の形状と被介護者の顔の大きさとを比較して決定される。例えば被介護者の顎から頭の頂点までの垂直距離を２０〜２５ｃｍとし、涎掛け１を取り付けるとき、紐ストッパ４を保持した手が頭の頂点から１５ｃｍ程度上方の位置を後方に移動するとすれば、紐ストッパ４を保持して布２を吊り下げたときに生じる紐３の輪の形状を、図６（ａ）に示すようにモデル化すると、紐３の輪の最大サイズは、同図（ｂ）に示すように、紐通し穴２１の屈曲部Ｑから紐ストッパ４までの垂直距離Ｌが凡そ３５〜４０ｃｍで、屈曲した紐通し穴２１の両端の水平距離Ｗが凡そ１５〜２５ｃｍとなるようにすればよい。
【００４４】
例えばＬ＝３５ｃｍ、Ｗ＝１５ｃｍとすると、紐３の輪の長さは約９２．６ｃｍとなり、Ｌ＝３５ｃｍ、Ｗ＝２５ｃｍとすると、紐３の輪の長さは約９９．１ｃｍとなる。また、例えばＬ＝４０ｃｍ、Ｗ＝１５ｃｍとすると、紐３の輪の長さは約１０２．３ｃｍとなり、Ｌ＝４０ｃｍ、Ｗ＝２５ｃｍとすると、紐３の輪の長さは約１０８．３ｃｍとなる。従って、紐３の規制部３１の位置は、紐３の輪の最大サイズが凡そ９２〜１１０ｃｍになる位置（折返点Ｐから凡そ４６〜５５ｃｍの位置）に設定すればよい。
【００４５】
なお、上記モデル化による紐３の輪の最大サイズの算出は、上半身の体形が首回り約３８ｃｍの被介護者を想定して行っているので、この体形と異なる被介護者に対する涎掛け１の紐３の輪の最大サイズは、首回りと紐３の輪の最大サイズの比例関係から算出すればよい。すなわち、紐３の輪の最大サイズは首回りの約２．５（＝９２／３８）倍〜３倍（＝１１０／３８）に設定するとよい。また、本実施形態では、ゴム紐の伸縮性により涎掛け１の装着脱時に紐３が伸びることを考慮して、紐３の全体長を約１１２ｃｍとし、紐ストッパ４の規制部３１の位置を紐３の輪の最大サイズが約９６ｃｍとなる位置（折返点Ｐから凡そ４８ｃｍの位置）に設定している。
【００４６】
図１に戻り、紐保持部材５は、被介護者が涎掛け１を取り付ける際、紐３の輪に自己の頭部を通した後、紐ストッパ４を首側に移動させて紐３の輪の径を小さくするときに紐ストッパ４を保持していない手（不自由な方の手）で当該紐３の先端を保持したり、逆に涎掛け１を取り外す際、紐ストッパ４を規制部３１側に移動させて紐３の輪の径を大きくするときに紐ストッパ４を保持していない手（不自由な方の手）で当該紐３の先端を保持したりするための部材である。本実施形態では、紐保持部材５を保持する手に指が動き難くいなどの障害がある場合を想定し、例えば五指が硬直している場合にも不自由な手に容易に紐３の先端部を固定できるように、直径１５〜３０ｍｍの球状若しくは半球状の紐保持部材５を設けている。
【００４７】
紐保持部材５は、図７に示すように、例えば親指と人差し指の指股の部分に紐３を通し、手を首から引き離す方向に移動させることにより簡単に当該指股の部分に係止させることができるようなっている。特に形状を直径１５〜３０ｍｍの球状若しくは半球状にしているので、五指が丸まって不自由な場合にもその丸まった掌の部分に紐保持部材５が安定して収まり、容易に不自由な手から抜けることがないので、紐ストッパ４を移動させる際の紐３の先端部の固定を安定して行うことができる。なお、球状若しくは半球状の直径の範囲は上記範囲に限定されるものではなく、紐保持部材５を安定して保持できるものであれば、多少の広狭があってもよい。
【００４８】
紐保持部材５は、特に五指が丸まって不自由になっている場合を想定したものであるが、五指が真直ぐに伸びた状態で硬直している場合には、不自由な手で紐保持部材５を安定かつ容易に保持することは困難であるので、このような不自由な手を有する被介護者に対して紐３の先端部を安定かつ容易に保持できるように、上述した隙間部分Ｒが設けられている。図８に示すように、この隙間部分Ｒによって形成される輪に五指が真直ぐに伸びた状態の手を挿入することにより、紐３の先端部分を容易かつ安定して保持できるようにしている。そして、隙間部分Ｒによって形成される輪に五指が真直ぐに伸びた状態の手を挿入し易くするため、隙間部分Ｒの長さを少なくとも人指し指から薬指までの３本の指が挿入可能なサイズとしている。本実施形態では、大人の標準的な掌のサイズは１０ｃｍ前後であることとゴム紐の伸縮性を考慮し、隙間部分Ｒの長さを約８ｃｍに設定している。なお、隙間部分Ｒの長さは上記サイズに限定されるものではなく、その目的及び機能を果たすものであれば、多少の広狭があってもよい。
【００４９】
次に、本実施形態に係る涎掛け１の装着脱方法について簡単に説明する。
【００５０】
被介護者が涎掛け１を自分の首に取り付けるときは以下の手順で行われる。
【００５１】
(a) 一方の手（不自由でない方の手）で紐ストッパ４を保持し、ロック解除ボタン４２を押し込んだ状態で布２を上下に振り、紐３の輪を最大サイズにする。
【００５２】
(b) このとき、紐３に吊り下げられた布２が縦方向に二つに折り畳まれ、布２の上部の紐通し穴２１の部分がＶ字状に屈曲するので、この屈曲部Ｑに自己の顎を引っ掛け、その状態で紐ストッパ４を保持している手を頭の上方を移動するように後方に移動させる。
【００５３】
(c) 紐ストッパ４を保持している手の移動によって紐３の輪が頭部を潜ると、その後紐３の輪に頭部が完全に抜けるまでその手を下方に移動させる。
【００５４】
(d) 紐ストッパ４を保持している手を胸の前方に移動させ、他方の手に紐保持部材５を係止させるか、他方の手を隙間部分Ｒの輪に挿入するかして紐３の先端部を固定する。
【００５５】
(e) 紐３の先端部を固定し、ロック解除ボタン４２を押し込んだ状態で紐ストッパ４を首側に移動させて適当な位置でロックした後、胸を覆う位置に布２を移動させて涎掛け１の取付け作業を終了する。
【００５６】
被介護者が涎掛け１を自分の首から取り外すときは以下の手順で行われる。
【００５７】
(a) 紐３の先端部を胸の前に持ってきて、一方の手（不自由な方の手）を紐保持部材５に係止させるか、隙間部分Ｒの輪に挿入するかした後、その手を胸の前方に移動させて紐３を直線状に張る。
【００５８】
(b) 他方の手で紐ストッパ４のロック解除ボタン４２を押し込み、その状態で紐ストッパ４を紐３の規制部３の位置まで移動させる。
【００５９】
(c) 紐保持部材５または隙間部分Ｒで紐３を固定していた一方の手を外し、紐ストッパ４を保持している手を首の後ろに移動させ、その後上方に移動させた後、頭の上方を前側に紐３の輪から頭部が抜けるまで移動させて涎掛け１の取外し作業を終了する。
【００６０】
なお、上記説明では、被介護者が一人で自分の体に涎掛け１を装着脱する場合について説明したが、介護者が被介護者に涎掛け１を装着脱する場合も同様の方法で簡単に涎掛け１を被介護者に取り付けたり、取り外したりできることはいうまでもない。また、本発明に係る涎掛け１を３歳〜７歳の幼児用涎掛けに適用にしてもよい。
【図面の簡単な説明】
【００６１】
【図１】本発明に係る涎掛けを示す正面図である。
【図２】紐に形成された規制部の位置を説明するための図で、涎掛けを縦方向に二つ折りにした状態の図である。
【図３】紐ストッパの構造を示す図である。
【図４】涎掛けの取り付け方を示す図である。
【図５】涎掛けの紐の輪に顔の部分を通している状態を示す図である。
【図６】涎掛けの紐の輪の最大サイズを説明するための図で、（ａ）は輪をモデル化した斜視図、（ｂ）は被介護者の顔とモデル化された紐との関係を示す側面図である。
【図７】手の指股の部分に紐保持部材を係止させて紐の先端部を固定する方法を説明するための図である。
【図８】隙間部分の輪に掌の部分を挿入して紐の先端部を固定する方法を説明するための図である。
【図９】従来の涎掛けの第１実施例を示す正面図である。
【図１０】従来の涎掛けの第２実施例を示す正面図である。
【図１１】従来の涎掛けの第３実施例を示す正面図である。
【符号の説明】
【００６２】
１  涎掛け
２  布（布部材）
２１  紐通し穴（直線状部分）
３  紐（紐部材）
３１  規制部
４  紐ストッパ（紐ストッパ部材）
４１  本体
４２  ロック解除ボタン
４３  付勢部材
５  紐保持部材
Ｐ  折返点
Ｑ  屈曲部
Ｒ  隙間部分
【図１】
2005060902.tif 000003
【図２】
2005060902.tif 000004
【図３】
2005060902.tif 000005
【図４】
2005060902.tif 000006
【図５】
2005060902.tif 000007
【図６】
2005060902.tif 000008
【図７】
2005060902.tif 000009
【図８】
2005060902.tif 000010
【図９】
2005060902.tif 000011
【図１０】
2005060902.tif 000012
【図１１】
2005060902.tif 000013